(57)【要約】【課題】３相電力配線の２つの電力配線に高周波信号を重畳して行う電力線通信式装置が、３相電力配線上に複数台接続されて各装置間で通信を行う場合に通信の信頼性を向上させることを目的とする。【解決手段】３相電力配線１０、１１、１２の２つの電力配線に高周波信号を重畳して通信を行う通信モデム１００を有する電力線通信式装置１１００に、前記通信モデム１００と前記３相電力配線１０、１１、１２とをつなぐ複数通りの回路接続条件で前記前記３相電力配線に順次接続する手段と、各々少なくとも２回以上の通信を行う手段と、受信検出回数が最も多い回路接続条件で３相電力配線１０、１１、１２の２つの電力配線に接続を設定する手段と、を設ける。【選択図】  図１
2005020197.tif 000002
【特許請求の範囲】
【請求項１】
多相電力配線のうちの２つの電力配線に高周波信号を重畳して通信を行う通信手段を有する電力線通信式装置において、
前記通信手段と前記多相電力配線のうちの２つの電力配線とをつなぐ複数通りの接続条件で前記通信手段を前記多相電力配線に順次接続し、各々の接続条件で少なくとも２回以上の通信を行い、受信検出回数が最も多い接続条件で、前記通信手段と前記多相電力配線との接続の設定を行うこと
を特徴とする電力線通信式装置。
【請求項２】
少なくとも１台以上の、通信手段を有する第１の電力線通信式装置と、少なくとも１台以上の、通信手段を有する第２の電力線通信式装置との間で電力配線に高周波信号を重畳して通信を行う制御システムであって、
前記第１の電力線通信式装置は、前記前記第２の電力線通信式装置との間で通信を行う通常動作モードおよび接続する電力配線を選択する配線選択モードのいずれかのモードを選択する設定手段を有し、
前記第１の電力線通信式装置は、前記設定手段が配線選択モードに設定されている場合、自身の有する通信手段を電力配線に接続条件を変更して順次接続し、該接続した前記接続条件毎に所定時間内に送信される所定の確認信号の受信を検知し、該検知した所定の確認信号の受信回数を前記接続条件毎に計測し、該計測した受信回数が最大である接続条件を特定し、該特定した接続条件で前記通信手段と前記電力配線との接続を設定すること
を特徴とする制御システム。
【請求項３】
請求項２に記載の制御システムにおいて、
前記第１の電力線通信式装置の前記通信手段は、前記配線選択モードに設定されている場合に接続テスト信号を送信する手段を有し、
前記第２の電力線通信式装置の前記通信手段は、自身宛ての該接続テスト信号に対する応答信号を返信する手段を有し、
前記所定の確認信号とは、前記第２の電力線通信式装置の前記通信手段が送信した前記応答信号であること
を特徴とする制御システム。
【請求項４】
請求項３に記載の制御システムにおいて、
前記第１の電力線通信式装置は多相電力配線に接続されており、前記第２の電力線通信式装置は単相電力配線に接続されており、
前記多相電力配線の電力線通信に使う２本の電力配線と、前記単相電力配線で電力線通信に使う２本の電力配線とが互いに容量結合手段により接続されていること
を特徴とする制御システム。
【請求項５】
請求項３に記載の制御システムにおいて、
前記第１の電力線通信式装置は多相電力配線に接続されており、前記第２の電力線通信式装置は単相電力配線に接続されており、
前記多相電力配線の電力線通信に使う２本の電力配線と前記単相電力配線で電力線通信に使う２本の電力配線とを無線通信でつなぐ第１及び第２の電力線・無線変換ブリッジを有し、
前記第１の電力線・無線変換ブリッジは、前記多相電力配線の電力線通信に使う２本の電力配線に接続され、前記第２の電力線・無線変換ブリッジは、前記単相電力配線の電力線通信に使う２本の電力配線接続されていること
を特徴とする制御システム。
【請求項６】
請求項２に記載の制御システムにおいて、
前記第１の電力線通信式装置は多相電力配線に接続されており、前記第２の電力線通信式装置は単相電力配線に接続されており、
前記多相電力配線の電力線通信に使う２本の電力配線と前記単相電力配線で電力線通信に使う２本の電力配線とを無線通信でつなぐ第１及び第２の電力線・無線変換ブリッジを有し、
前記第１の電力線・無線変換ブリッジは、前記多相電力配線の電力線通信に使う２本の電力配線に接続され、前記第２の電力線・無線変換ブリッジは、前記単相電力配線の電力線通信に使う２本の電力配線接続されており、
さらに、前記第１の電力線・無線変換ブリッジは、接続テスト信号を連続して送信する信号送信手段を有していて、
前記所定の確認信号とは、前記第１の電力線・無線変換ブリッジが送信した接続テスト信号であること
を特徴とする制御システム。
【請求項７】
請求項２に記載の制御システムにおいて、
前記第１の電力線通信式装置は、第１の配電トランスに接続されている第１の多相電力配線に接続されており、前記第２の電力線通信式装置は、前記第１の配電トランスとは異なる電力系統の第２の配電トランス接続されている第２の多相電力配線に接続されており、
前記第１の多相電力配線の電力線通信に使う２本の電力配線と前記第２の多相電力配線の電力線通信に使う２本の電力配線とを無線通信でつなぐ第１及び第２の電力線・無線変換ブリッジを有し、
前記第１の電力線・無線変換ブリッジは、前記第１の多相電力配線の電力線通信に使う２本の電力配線に接続され、前記第２の電力線・無線変換ブリッジは、前記第２の多相電力配線の電力線通信に使う２本の電力配線接続されており、
前記第２の電力線通信式装置は、
前記前記第１の電力線通信式装置との間で通信を行う通常動作モードおよび接続する電力配線を選択する配線選択モードのいずれかのモードを選択する第２の設定手段と、
前記第２の設定手段が配線選択モードに設定されている場合、自身の有する前記通信手段を前記第２の多相電力配線に接続条件を変更して順次接続し、該接続した前記接続条件毎に所定時間内に送信される所定の第２の確認信号の受信を検知し、該検知した所定の第２確認信号の受信回数を前記接続条件毎に計測し、該計測した受信回数が最大である接続条件を特定し、該特定した接続条件で前記通信手段と前記電力配線との接続を設定する手段と、を有し、
さらに、前記第１および第２の電力線・無線変換ブリッジは、各々テスト信号を連続して送信するものであって、
前記第１の電力線通信式装置の有する通信手段が検知した所定の確認信号とは、前記第１の電力線・無線変換ブリッジが送信したテスト信号であり、
前記第２の電力線通信式装置有する通信手段が検知した所定の第２の確認信号とは、前記第２の電力線・無線変換ブリッジが送信したテスト信号であること
を特徴とする制御システム。
【請求項８】
請求項２に記載の制御システムにおいて、
前記第１の電力線通信式装置は、第１の配電トランスに接続されている第１の多相電力配線に接続されており、前記第２の電力線通信式装置は、前記第１の配電トランスとは異なる電力系統の第２の配電トランス接続されている第２の多相電力配線に接続されており、
前記第１の多相電力配線で電力線通信に使う２本の配線と、前記第２の多相電力配線で電力線通信に使う２本の配線を互いに接続する容量結合手段と、
前記第１および前記第２の電力線通信式装置の各々に接続テスト信号を送信する信号発生装置と、を有し、
前記第２の電力線通信式装置は、
前記前記第１の電力線通信式装置との間で通信を行う通常動作モードおよび接続する電力配線を選択する配線選択モードのいずれかのモードを選択する第２の設定手段と、
前記第２の設定手段が配線選択モードに設定されている場合、自身の有する前記通信手段を前記第２の多相電力配線に接続条件を変更して順次接続し、該接続した前記接続条件毎に所定時間内に送信される所定の第２の確認信号の受信を検知し、該検知した所定の第２確認信号の受信回数を前記接続条件毎に計測し、該計測した受信回数が最大である接続条件を特定し、該特定した接続条件で前記通信手段と前記電力配線との接続を設定する手段と、を有し、
前記第１の電力線通信式装置が有する通信部が検知した所定の確認信号とは、前記信号発生装置が送信したテスト信号であり、
前記第２の電力線通信式装置が有する通信手段が検知した所定の第２の確認信号とは、前記信号発生装置が送信したテスト信号であること
を特徴とする制御システム。
【請求項９】
多相電力配線のうちの２つの電力配線に高周波信号を重畳して通信を行う電力線通信式装置における接続配線を設定する方法であって、
前記２つの電力配線を特定する接続条件を順次変更するステップと、
前記接続条件毎に前記２つの電力配線を用いて少なくとも２回以上通信を行うステップと、
前記接続条件毎に前記２つの電力配線からの受信を検知し、該検知した受信回数を計測するステップと、
前記計測した受信回数が最大値である接続条件を検出するステップと、
前記検出した接続条件によって特定される前記２つの電力配線に高周波信号を重畳して通信するように接続条件を設定するステップと、を実行すること
を特徴とする方法。
【発明の詳細な説明】
【０００１】
【発明の属する技術分野】
本発明は、多相電力配線の２つの電力配線に高周波信号を重畳して電力線通信を行う技術に関する。
【０００２】
【従来の技術】
近年、屋外の配電線や家庭内の電線などの既存の電力配線を利用して各種のデータ通信を実現する電力線通信式装置に関する技術が注目されている。この電力線通信式装置によれば、例えば、工場やオフィスにおいて既存の電力配線に複数の電気製品を接続してネットワーク化することにより、新たに通信配線を設置することなく、その製品の制御やデータ通信等のさまざまな処理を行うことができる。
【０００３】
そして、従来の電力線通信式装置には、互いに高周波的に分離されている、２つの３相電力配線間（異なるトランスに接続されている２つの３相電力配線間）に一対の信号線を配置すると共に、３相電力配線と上記一対の信号線間にまたがってネットワークカプラを配置することで、分離されている２つの３相電力配線の各相間にそれぞれ接続された装置間のデータの通信を実現しているものがある（例えば特許文献１）。
【０００４】
また、従来の３相電力配線上に接続された電力線通信式装置には、該装置が有する通信回路と３相電力配線のうちの２つの電力配線との接続を切替えて応答信号を受信し、その受信レベルの大きさにより通信相手が接続されている接続相を判定しているものがある（例えば特許文献２）。
【特許文献１】
特開平８−１３９６５０号公報
【特許文献２】
特開平１０−３４１１９１号公報
【０００５】
【発明が解決しようとする課題】
しかしながら、上記特許文献１の技術は以下の問題を有している。一般的に電力配線には様々な機器が接続されているため、ノイズが入りやすいという特質がある。そして、例えば、３相電力配線上に電力線通信式装置が多数接続され、且つ各装置の通信回路と３相電力配線と間の接続関係がばらばらの場合、ある電力線通信式装置は、他の相につながれている通信相手である電力線通信式装置が通信中であることを認識できないことがある。そのため、上記ある電力線通信式装置が、通信号を送信した場合に、既に通信中の信号との衝突が起き通信エラーが発生するという問題がある。
【０００６】
また、上記特許文献２に記載の技術は、通信相手の接続相確認を応答信号の受信レベルの判定により行なっている。しかしながら、ノイズの大きな環境では、この受信レベルの判定が難しいため通信相手の接続相を誤って特定する場合が多いという問題を有している。そして、このように通信相手の接続相を誤っている場合には、通信前に行うキャリアセンス（搬送波感知）で誤検知することが多くなる傾向にあり、結果的に通信エラーが発生しやすいという問題がある。
【０００７】
そこで、本発明は、多相電力配線のうちの２つの電力配線に高周波信号を重畳して通信を行う電力線通信式装置が、多相電力配線上に接続されて各装置間で通信を行う場合、あるいは、多相電力配線上に接続された電力線通信式装置と、単相配線に接続された電力線通信式装置との間で通信を行う場合に、通信の信頼性を向上させることを目的とする。
【０００８】
【課題を解決するための手段】
上記課題を解決するため、本発明の一態様では、多相電力配線のうちの２つの電力配線に高周波信号を重畳して通信を行う通信手段を有する電力線通信式装置に、前記通信手段と前記多相電力配線のうちの２つの電力配線とをつなぐ複数通りの接続条件で前記通信手段を前記多相電力配線に順次接続する手段と、各々の接続条件で少なくとも２回以上の通信を行う手段と、前記通信の受信検出回数が最も多い接続条件で、前記通信手段と前記多相電力配線との接続の設定を行う手段とを設ける。
【０００９】
このように、本一態様によれば、電力配線に接続条件を順次変更して接続し、各々の接続条件で少なくとも２回以上通信を行い、受信検出回数が最も多い接続条件で前記通信手段と前記電力配線との接続を設定するようにしている。したがって、ノイズの大きな環境や不規則にノイズが発生する場合であっても、高精度に最適な接続条件を特定することができる（例えば、接続条件毎に検知した所定の確認信号の受信レベルを用いて接続条件を特定する方法では、正確な受信レベルの検知が困難であり高精度に最適な接続条件と特定できない）。そのため本一態様では、電力配線に高周波信号を重畳して通信を行う電力線通信の信頼性を向上させることができる。
【００１０】
このように、本発明によれば、電力配線に高周波信号を重畳して行う電力線通信式装置が、多相電力配線上に接続されて各装置間で通信を行う場合、あるいは、多相電力配線上に接続された電力線通信式装置と、単相配線に接続された電力線通信式装置との間で通信を行う場合に、通信の信頼性を向上させることができる。
【００１１】
【発明の実施の形態】
以下、本発明の実施の形態について図面を用いて説明する。
【００１２】
先ず、本発明の第１の実施形態について説明する。なお、本実施形態では、本発明が室外機と室内機とを有する冷媒方式の空調システムに適用される場合を例にして説明するが特にこれに限定するものではない。多相電力配線の２つの電力配線に高周波信号を重畳して通信を行う装置であれば本発明を適用することができる。
【００１３】
図１は、本発明の第１実施形態が適用された電力線通信式装置を用いた制御システムの概略構成図である。図示するように、本制御システムは、３相２００Ｖの３相電力配線１０、１１、１２（順にＲ相、Ｓ相、Ｔ相）に接続されている電力線通信式装置１１００ａ、ｂ、ｃ、…ｎと、単相（１００Ｖ／２００Ｖ）の単相電力配線２０、２１、２２（順にＬ１相、Ｎ相、Ｌ２相）に分電盤４０を介して接続されている電力線通信式装置２１００ａ、ｂ、…ｎと、単相（１００Ｖ／２００Ｖ）の単相電力配線２０、２１、２２（順にＬ１相、Ｎ相、Ｌ２相）に分電盤４１を介して接続されている電力線通信式装置２２００ａ、ｂ、…ｎと、３相電力配線（１０、１１、１２）および単相電力配線（２０、２１、２２）との間で高周波の伝送信号を通す容量結合手段であるコンデンサ３０、３１（コンデンサ３０および３１は、商用電源（５０Ｈｚ／６０Ｈｚ）レベルでは互いに絶縁されているものとする）と、を有する。なお、単相電力配線２０、２１、２２（順にＬ１相、Ｎ相、Ｌ２相）は、Ｌ１相とＮ相間、およびＬ２相とＮ相間が１００Ｖ、Ｌ１相とＬ２相間とが２００Ｖとなるように構成されているものとする。
【００１４】
また、コンデンサ３０、３１は、３相電力配線１０、１１、１２のいずれか２つの電力配線に接続されるように構成されている。また、本実施形態では、電力線通信式装置１１００と電力線通信を行う電力線通信式装置２１００（２２００）は単相２００Ｖの電源供給を必要とする機器であるため、コンデンサ３０、３１の単相電力配線側の接続相は、単相電力配線２０、２２に特定される。なお、図１では、コンデンサ３０が３相電力配線１１（Ｓ相）に、コンデンサ３１が３相電力配線１０（Ｒ相）に接続されている場合を例示しているが本実施形態は特にこれに限定するものではない。例えば、コンデンサ３０が３相電力配線１０（Ｒ相）に、コンデンサ３１が３相電力配線１２（Ｔ相）に接続されていてもよい。
【００１５】
電力線通信式装置１１００（ａ、ｂ、ｃ、…ｎ）は、３相電力配線１０、１１、１２との接続を選定（３相電力配線１０、１１、１２のいずれか２つの電力配線の選択を行なう）する機能を有する電力線通信モデム１００を内蔵し、かつ圧縮機、四方弁、および熱交換機等を有する空調システムの室外機として機能するように構成されている。また、電力線式通信装置１１００（ａ、ｂ、ｃ、…ｎ）の電源端子４２は、それぞれ機器毎（電力線式通信装置１１００ａ、ｂ、ｃ、…ｎ毎）に異なる順番で３相電力配線相１０、１１、１２に接続されている。例えば、電力線式配線装置１１００ａでは、左側、中央、右側の電源端子４２が各々Ｒ相１０、Ｓ相１１、Ｔ相１２に接続されている。また、空調機１１００ｂでは左側、中央、右側の電源端子４２が各々Ｔ相１２、Ｒ相１０、Ｓ相１１に接続されている。また、空調機１１００ｃでは左側、中央、右側の電源端子４２が各々Ｓ相１１、Ｔ相１２、Ｒ相１０に接続されている。
【００１６】
分電盤４０（４１）には、ブロッキングフィルタ４０１（ブロッキングフィルタ４１１）、およびＦＦＢ（配線用遮断器）４００（ＦＦＢ４１０）が設けられている。そして、分電盤４０（４１）に接続されている単相２００Ｖ系の電力配線４４にはＦＦＢ４００（ＦＦＢ４１０）を介して、電力線通信式装置２１００（２２００）が少なくとも一台以上接続されている。また、分電盤４０（４１）に接続されている単相１００Ｖ系の電力配線４５には、ブロッキングフィルタ４０１（ブロッキングフィルタ４１１）、およびＦＦＢ４００（ＦＦＢ４１０）を介して蛍光灯や電子レンジなどの一般的な電気機器が接続されている。ブロッキングフィルタ４０１（４１１）は、単相２００Ｖ系配線４４上に重畳された信号が単相１００Ｖ系機器（例えば蛍光灯等）を接続する配線４５に漏れないようにすると共に、単相１００Ｖ系機器で発生したノイズが電力線通信を行う電力配線上に漏れないように機能する。なお、本実施形態の説明では、分電盤４０は、建物の１階に、分電盤４２は建物の２階に設けられているものとする（その他の階の分電盤については省略する）。
【００１７】
また、電力線通信式装置２１００（ａ、ｂ、…、ｎ）は、電力線通信モデム２００を内蔵し、かつ熱交換機等を有する空調システムの室内機として機能するように構成されている。なお、本実施形態の説明では、電力線通信式装置１１００ａと電力線式通信装置２１００（ａ、ｂ、…、ｎ）とが同一の冷媒系統の冷媒管（銅管等）で接続されていることとし、電力線通信式装置１１００ｂと電力線式通信装置２２００（ａ、ｂ、…、ｎ）とが同一の冷媒系統の冷媒管（銅管等）で接続されていることとする。
【００１８】
そして、電力線通信式装置１１００ａ（ｂ、ｃ…、ｎ）と、同一の冷媒系統の冷媒管に接続されている電力線通信式装置２１００（２２００）とは、互いに電力線通信により制御信号（例えば室温や風量を制御するためのデータ）を送受信しながら一体となって動作するように構成されている。例えば、室内機として機能する電力線通信式装置２１００ａは、室内の温度を下げるために、電力線通信装置１１００ａ（室外機）に対して所定の制御信号を送信する。そして、上記所定の制御信号を受信した電力線装置１１００ａ（室外機）は、受信した該所定制御信号に応じて圧縮機等の動作を制御するように構成されている。
【００１９】
また、図示するように、３相電力配線１０、１１、１２には、ブロッキングフィルタ３００が設置されている。このブロッキングフィルタ３００は、３相電力配線１０、１１、１２に重畳された信号が、分岐された配線側に漏れないようにすると共に、分岐された配線側の機器で発生したノイズが電力線通信を行う配線上に漏れないように働く。
【００２０】
続いて、本発明の第１の実施形態の電力線通信式装置１１００（ａ、ｂ、…、ｎ）の具体的構成について図２、図３を用いて説明する。
【００２１】
図２は、本実施形態の電力線通信式装置１１００の具体的な構成を説明するための図である。図示するように、電力線通信式装置１１００は、電力配線との接続を選定する機能を有する電力線通信モデム１００と、空調システムの室外機として機能する自身の動作を制御する制御回路１１１０と、該制御回路１１１０の入出力インタフェース（Ｉ／Ｏ）１１６０と、モータ１１３０により駆動される圧縮機１１４０（冷媒の圧縮を行なう）と、制御回路１１１０からの指令値に従いモータ１１３０の回転数を制御するインバータ１１２０と、インバータ１１２０用のノイズフィルタ１１５０と、空調システムの冷媒系統を設定する共に電力線通信モデム１００と３相電力配線の接続条件が決定した際に（決定の方法に関しては後述する）、その条件で接続を固定するディップスイッチ１１６１と、３相電力配線１０、１１、１２との接続端子である電源端子４２（ａ、ｂ、ｃ）と、を有する。なお、Ｉ／Ｏ１１６０は、例えば液晶表示パネル等で構成される表示手段を有しており、後述する接続条件の表示を行うものとする。
【００２２】
図３は、電力線通信式装置１１００の電力線通信モデム１００の具体的な構成を説明するための図である。図示するように、電力線通信モデム１００は、リレーａ１１０、リレーｂ１１１、結合回路１２０、送信アンプ１３２、フィルタ１３５、変調回路１３１、復調回路１３６、デジタル信号処理プロセッサ（以下において「ＤＳＰ」という）１３０、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）１４０、ＲＡＭ（Ｒａｎｄｏｍ  Ａｃｃｅｓｓ  Ｍｅｍｏｒｙ）１４１、モード切替えスイッチ１５０、カウンタ１６０、および判定回路１７０を有する。
【００２３】
リレーａ１１０およびリレーｂ１１１は、３相電力配線（電源端子４２を介して３相電力配線に接続される）と電力線通信モデム１００との接続関係を切替えるための切替え手段である。そして、リレーａ１１０およびリレーｂ１１１の設定により、電力線通信モデム１００は、３相電力配線１０、１１、１２のいずれか２つの電力配線を選択して接続されるようになる（電源端子４２を介して接続される）。例えば、リレーａ１１０を「１ａ」に、リレーｂ１１１を「２ａ」に接続することにより、電力線通信モデム１００の通信部（結合回路１２０、送信アンプ１３２、フィルタ１３５、変調回路１３１、復調回路１３６、ＤＳＰ１３０、ＥＥＰＲＯＭ１４０、ＲＡＭ１４１、モード切替えスイッチ１５０、カウンタ１６０、判定回路１７０）は、電源端子４２ａを介して３相電力配線１２と、電源端子４２ｂを介して３相電力配線１１とにつながる。また、例えば、リレーａ１１０を「１ｂ」に、リレーｂ１１１を「２ｂ」に接続することにより、電力線通信モデム１００の通信部は、電源端子４２ｂを介して３相電力配線１１と、電源端子４２ｃを介して３相電力配線１０とにつながる。また、リレーａ１１０を１ａ、リレーｂ１１１を２ｂに接続することにより、電力線通信モデム１００の通信部は、電源端子４２ａを介して３相電力配線１２と、電源端子４２ｃを介して３相電力配線１０とにつながる。
【００２４】
結合回路１２０はトランス、コンデンサなどからなり、電力配線に供給されている商用電源と高周波信号を分離する。変調回路１３１は、ＤＳＰ１３０が出力したデジタル信号を高周波信号に変調する。送信アンプ１３２は、変調回路１３１で変調された高周波信号を、結合回路１２０を介して電力配線へ送信する。フィルタ１３５は、電力配線を介して伝えられた高周波信号のうち通信に使われる帯域の高周波だけを復調回路１３６に伝えるバンドパスフィルタである。また、復調回路１３６は、フィルタ１３５を通過した高周波の復調を行い、デジタル信号に変換してＤＳＰ１３０に入力する。また、ＤＳＰ１３０は、制御回路１１１０から入力された信号や復調回路１３６から入力された信号を処理する。
【００２５】
ＥＥＰＲＯＭ１４０には、ＤＳＰ１３０の処理を実現するためのデータが不揮発的に予め格納されている。また、ＲＡＭ１４１はＤＳＰ１３０とデータのやり取りを行う（ＲＡＭ１４１はＤＳＰ１３０のワークエリアとして機能する）。
【００２６】
モード切替えスイッチ１５０は、電力線通信式装置１１００が通常起動モードおよび配線選択モードのどちらの状態にあるかを示すモード切替えスイッチであり、制御回路１１１０の電源をオンするとモード切替えスイッチ１５０の状態に従って電力通信モデム１００の起動処理が行われる。
【００２７】
カウンタ１６０は、電力線通信モデム１００が自分自身に来た信号の検出した回数あるいは受信を成功した回数を数えるカウンタであり、３相電力配線とモデム１００の通信部との接続条件（リレーａ１１０およびリレーｂ１１１の設定により定まる３通り）毎に３つのカウンタ（１、２、３）を有している。
【００２８】
判定回路１７０は、最多検出回数（または最多受信成功回数）の判定回路であり、カウンタ１からカウンタ３のカウント値の最大値を検出し、その最大値が所定の値以上になるとＤＳＰ１３０にその旨を示す信号を送信する。そして、ＤＳＰ１３０は、上記カウンタの最大値が所定の値以上であることを示す旨の信号を受けて、最大値が得られた接続条件になるよう切替え信号を切替え手段であるスイッチａ１１０及びスイッチｂ１１１に送信すると共に、制御回路１１１０を介してＩ／Ｏ１１６０にその接続条件を表示させる。
【００２９】
続いて、本発明の第１の実施形態の電力線通信式装置２１００（２２００）の具体的構成について図４、図５を用いて説明する。
【００３０】
図４は、本実施形態の電力線通信式装置２１００の具体的な構成を説明するための図である。図示するように、電力線通信式装置２１００は、通信部を有する電力線通信モデム２００と、空調システムの室内機として機能する自身の動作を制御する制御回路１１１１と、制御回路１１１１の入出力インタフェース（Ｉ／Ｏ）１１６２と、制御回路１１１１の指令に従い動作するファン１１７０と、ファン１１７０用のノイズフィルタ１１５１と、空調システムの冷媒系統を設定するための冷媒系統切替えスイッチ１１６３と、単相電力配線２０、２１と接続する電源端子４３（ａ、ｂ）と、を有する。そして、冷媒切替えスイッチ１１６３の設定により、電力線通信式装置（室外機）１１００と複数の電力線通信式装置（室内機）２１００とが同一の冷媒系統であることが対応付けられる（この対応付けの方法については後述する）。なお、電力線通信式装置２２００は、電力線通信式装置２１００と同じ構成を有しているものとする。
【００３１】
続いて、電力線通信装置２１００が有する電力線通信モデム２００の具体的な構成を説明する。図５は、電力線通信モデム２００の具体的な構成を説明するための図である。図示するように、電力線通信モデム２００は、電力線通信モデム１００と同様の結合回路１２０、送信アンプ１３２、フィルタ１３５、変調回路１３１、復調回路１３６、ＤＳＰ１３０、ＥＥＰＲＯＭ１４０、およびＲＡＭ１４１を有している（電力線通信モデム２００の構成は、上述した切替え手段であるスイッチａ１１０およびスイッチｂ１１１と、モード切替えスイッチ１５０と、カウンタ１６０と、判定回路１７０と、を有さない以外の構成は電力通信モデム１００と同じである）。
【００３２】
続いて、本発明の第１実施形態が適用された電力線通信式装置を用いた制御システムが行う処理のフローについて、上述した図１〜４および図６を用いて説明する。図６は、本実施形態が適用された電力線通信式装置１１００の電力配線の選択処理のフローを説明するための図である。
【００３３】
本実施形態の空調システムは、建物内の電力配線作業が終了後、空調システムの電源投入前に空調システムの冷媒系統の設定を受け付ける。具体的には、電力線通信式装置（室外機）１１００のディップスイッチ１１６１および電力線通信式装置（室内機）２１００の冷媒切替えスイッチ１１６３に、同一冷媒系統にある電力線通信式装置１１００と電力線通信式装置２１００との対応を識別できるように設定しておく（ディップスイッチ１１６１および冷媒切替えスイッチ１１６３には、同一冷媒系統にある装置を識別するアドレスデータが設定されているものとする）。また、本空調システムでは、電力通信装置（室外機）１１００が有する電力線通信モデム１００の通信モード切替えスイッチ１５０の設定を予め受け付けるものとする（モード切替えスイッチ１５０は、最初は配線選択モードに設定されているものとする）。
【００３４】
さて、本空調システムの電源が投入されると（Ｓ１）、続いて電力線通信式装置（室外機）１１００の制御回路１１１０の電源投入を受けるまで待機する。そして、電力線通信式装置（室外機）１１００の制御回路１１１０に電源が投入された場合、制御回路１１１０は起動指令を電力線通信モデム１００に出力して電力線通信モデム１００を起動させてＳ３に進む（Ｓ２）。なお、電力線通信式装置（室内機）２１００の制御回路１１１１についても電源投入後、起動指令を電力線通信モデム２００に出力して電力線通信モデム２００を起動させるものとする。
【００３５】
Ｓ３では、制御回路１１１０から起動命令を受けたＤＳＰ１３０は、モード切替えスイッチ１５０のモード確認を行なう。そして、ＤＳＰ１３０は、モード切替えスイッチ１５０が配線選択モードであることを検出した場合には、Ｓ４に進み、配線選択モードでない場合（通常起動モードの場合）には、通常の起動を行う（通常モードであることを示す信号を制御回路１１１０に送信し、その後は空調システムの通常の制御信号の送受信を行う通信モデムとして動作する）。
【００３６】
Ｓ４では、ＤＳＰ１３０は配線選択モードにおける処理を開始する。具体的には、ＤＳＰ１３０は、リレーａ１１０およびリレーｂ１１１に切替え信号を送信し、リレーａ１１０を「端子１ａ」に、リレーｂ１１１を「端子２ａ」に設定する。その後、ＤＳＰ１３０は、変調回路１３１、送信アンプ１３２、結合回路１２０を介して、所定時間が経過するまで所定回数の接続テスト信号を順次送信する（Ｓ５）。なお、このテスト信号には、送信した電力線通信式装置（室外機）１１００を識別するアドレスデータが含まれているものとする。また、テスト信号を送信する所定回数については特に限定しないが、少なくとも２回以上とする。
【００３７】
一方、電力線通信装置（室内機）２１００、２２００の電力線通信モデム２００は、電力線通信式装置（室外機）１１００が送信したテスト信号を受信した場合、該テスト信号が同一の冷媒系統にある電力線通信式装置（室外機）１１００から送信されたものか否かの判断を行う（テスト信号に含まれているアドレス信号および自身が有する冷媒切替えスイッチ１１６３に設定されている同一冷媒系統にある装置のアドレスデータに基づいて判断する）。そして、電力線通信モデム２００は、受信したテスト信号が同一冷媒系統にある電力線通信式装置（室外機）１１００から送信された信号であると判断した場合には、テスト信号の受信成功を示す応答信号（以下「ＡＣＫ信号」という）を電力線通信式装置（室外機）１１００に対して送信する（通信モデム２００は、所定回数の送信されてくるテスト信号の受信が確認できる毎にＡＣＫ信号を順次送信する）。
【００３８】
電力線通信式装置（室外機）１１００の電力線通信モデム１００は、これらのＡＣＫ信号を結合回路１２０、フィルタ１３５、復調回路１３６を介してＤＳＰ１３０に入力する。ＤＳＰ１３０は、自身に対して送信されている信号であるか否かの判断を、Ｓ５で行ったテスト信号の送信開始から所定の検出時間が経過するまで行なう（Ｓ６）。
【００３９】
また、ＤＳＰ１３０は、入力されたＡＣＫ信号が自身に対して送信されたものであると判断する毎に、カウンタ１６０のカウンタ１の値を一つアップする（カウンタ１は、リレーａ１１０が「端子１ａ」に、リレーｂ１１１が「端子２ａ」に設定されている接続条件におけるＡＣＫ信号をカウントするように設定されているものとする）。そして、ＤＳＰ１３０は、Ｓ５での接続テスト信号を送信開始から所定の検出時間を経過するまでの間に検出したＡＣＫ信号の回数をカウンタ１に記録する（Ｓ７）。
【００４０】
続いてＤＳＰ１３０は、上記所定の検出時間を経過した場合には、リレーａ１１０およびリレーｂ１１１に切替え信号を送信し、リレーａ１１０を「端子１ｂ」に、リレーｂ１１１を「端子２ｂ」に設定する（Ｓ８）。
【００４１】
また、ＤＳＰ１３０は、Ｓ５と同様に、変調回路１３１、送信アンプ１３２、結合回路１２０を介して、所定時間が経過するまで所定回数の接続テスト信号を順次送信する（Ｓ９）。
【００４２】
一方、電力線通信式装置（室内機）２１００、２２００の電力線通信モデム２００は、上記と同様に、受信したテスト信号が同一冷媒系統にある電力線通信式装置（室外機）１１００から送信された信号であると判断した場合には、ＡＣＫ信号を電力線通信式装置（室外機）１１００に対して順次送信する。
【００４３】
その後、電力線通信式装置（室外機）１１００は、Ｓ６と同様の処理を行う（Ｓ１０）。また、ＤＳＰ１３０は、入力されたＡＣＫ信号が自身に対して送信されたものであると判断する毎に、カウンタ１６０のカウンタ２の値を一つアップする（カウンタ２は、リレーａ１１０が「端子１ｂ」に、リレーｂ１１１が「端子２ｂ」に設定されている接続条件におけるＡＣＫ信号をカウントするように設定されているものとする）。そして、ＤＳＰ１３０は、Ｓ９での接続テスト信号の送信開始から所定の検出時間を経過するまでの間に検出したＡＣＫ信号の回数をカウンタ２に記録する（Ｓ１１）。
【００４４】
続いて、ＤＳＰ１３０は、上記所定の検出時間を経過した場合には、リレーａ１１０およびリレーｂ１１１に切替え信号を送信し、リレーａ１１０を「端子１ａ」に、リレーｂ１１１を「端子２ｂ」に設定する（Ｓ１２）。そして、ＤＳＰ１３０は、Ｓ５〜Ｓ６と同様の処理を行なう（Ｓ１３、Ｓ１４）。また、ＤＳＰ１３０は、入力されたＡＣＫ信号が自身に対して送信されたものであると判断する毎に、カウンタ１６０のカウンタ３の値を一つアップする（カウンタ３は、リレーａ１１０が「端子１ａ」に、リレーｂ１１１が「端子２ｂ」に設定されている接続条件におけるＡＣＫ信号をカウントするように設定されているものとする）。そして、ＤＳＰ１３０は、Ｓ１３での接続テスト信号の送信開始から所定の検出時間を経過するまでの間に検出したＡＣＫ信号の回数をカウンタ３に記録する（Ｓ１５）。
【００４５】
その後、電力線通信モデム１００の判定回路１７０は、カウンタ１６０のカウンタ１〜３に記録されているＡＣＫ信号の受信回数を取得する。また、判定回路１７０は、取得したＡＣＫ信号の受信回数の最大値（カウンタ１〜３に記録されている受信回数の最大値）とその他の値（取得した最大値以外の受信回数）との差分値「Ｋ」を算出する（Ｓ１６）。
【００４６】
また、判定回路１７０は、算出した差分値「Ｋ」が所定のしきい値（例えば「１０回」と設定する）以上であるか否かを判定し、所定のしきい値以上の場合には、Ｓ１８の処理に進む。一方、判定回路１７０は、算出した差分値「Ｋ」が所定のしきい値より少ない場合には、Ｓ４に戻り、上述のＳ４〜Ｓ１６までの処理を繰り返す（Ｓ１７）。
【００４７】
Ｓ１７において、差分値「Ｋ」が所定のしきい値（例えば「１０回」と設定する）以上であると判定した場合、判定回路１７は、カウンタに最大値を与えるリレーａ１１０およびリレーｂ１１１の接続条件に固定する旨の信号（例えば、カウンタ１で記録された受信回数が最大値の場合には、リレーａ１１０を「端子１ａ」に、リレーｂ１１１を「端子２ａ」に設定する旨の信号）をＤＳＰ１３０に送信する。そして、ＤＳＰ１３０は、判定回路１７０が送信した接続条件を固定する旨の信号に基づいて切替え信号出力を設定する（例えば、リレーａ１１０を「端子１ａ」に、リレーｂ１１１を「端子２ａ」に設定する切替え信号を出力するように設定する）。また、判定回路１７は、カウンタ１６０のカウンタ１〜３に記録されているＡＣＫ信号の受信回数を、ＤＳＰ１３０、制御回路１１１０を経由してＩ／Ｏ１１６０に出力する。そして、Ｉ／Ｏ１１６０が有する表示手段（例えば液晶パネル）にカウンタ１〜３でカウントしたＡＣＫ信号の受信回数を接続条件に対応付けて表示する（Ｓ１８）。この表示を見て、オペレータは、最大の受信回数の接続条件にディップスイッチ１１６１を設定しておけば、電力線通信式装置（室外機）１１１０の電源を切断した後に、再度電源を投入した場合でも最適の接続条件は保たれることとなる。
【００４８】
また、ディップスイッチ１１６１は、オペレータから接続条件の設定を受け付けた場合（例えば設定完了スイッチを設けておいて、その押下により設定完了を受け付ける）、制御回路１１１０にその旨の信号を出力する。そして、制御回路１１１０は、自身の電源を切断し（または手動で切断されるようにしてもよい）、処理を終了する（Ｓ１９）。
【００４９】
その後、オペレータにより電力線通信モデム１００のモード切替えスイッチ１５０が通常モードに切替えられた後（Ｓ１８において、オペレータにより、ディップスイッチ１１６１は最大の受信回数を与えた接続条件に設定されているものとする）、制御回路１１１０の電源が投入された場合には（Ｓ２）、制御回路１１１０は、上述したＳ３の処理を行い、通常モードが起動されて空調システムを制御するためのデータ通信が行われる（自動アドレスの配信後、温度や風量などを制御するデータの通信が行われる）。
【００５０】
なお、本実施形態の説明では、ディップスイッチ１１６１の設定をオペレータが手動で設定する場合を例に説明したが、電力線通信式装置１１００自身が自動でディップスイッチ１１６１を設定するように構成されていてもよい。例えば、図６のＳ１８において、電力線モデム１００のＤＳＰ１３０は、判定回路１７０が送信した接続条件を固定する旨の信号に基づいて切替え信号出力すると共に、制御回路１１１０に対して、判定回路から受信した接続条件を出力する。そして、制御回路１１００は、受信した接続条件にディップスイッチ１１６１を設定して、通常起動するように構成してもよい。
【００５１】
このように、本実施形態によれば、３相電力配線上に接続された電力線通信式装置１１００において、通信相手がいずれの相に接続されているかを確認するためのテスト信号を、接続条件毎に所定の時間内に複数回数送信している。そして、上記送信したテスト信号に対するＡＣＫ信号の受信回数を、接続条件毎にカウントし、そのカウント回数が最大である接続条件を判定し、判定した接続条件で電力配線に接続するようにしている。
【００５２】
そのため、電力配線のようにノイズの多い環境下で行なう通信であっても、通信相手の接続相を高精度に特定することができる（例えば、不規則にノイズが発生する場合であっても、複数回テスト信号を送信し、その信号に対するＡＣＫ信号をカウントすることで、ＡＣＫ信号の検出精度は向上する）。
【００５３】
また、本実施形態では、電力配線を介して受信したデータを電力線モデム１００の復調回路１３６で復調させ、復調したデータを用いてＡＣＫ信号であるか否かを検知している。そのため、ノイズの多い環境下であっても、ＡＣＫ信号の誤検知を防ぐことができ、高精度に通信相手が接続されている相を特定することができる。
【００５４】
また、本実施形態では、カウントしたＡＣＫ信号の受信回数の最大値と他のカウントした受信回数との差分値が所定のしきい値より小さい場合には、最適接続条件の特定をすることなく、再度接続確認のための処理を行うようにしている。このため、不規則にノイズが発生するような場合でも、誤って接続条件が特定されてしまうことを防ぐことができる。
【００５５】
このように、本発明が適用された上記実施形態によれば、多相電力配線を用いて行なう通信において、通信相手が接続されている接続相を高精度に特定することができるため、通信の信頼性を向上することができる。すなわち本実施形態によれば、多相電力配線を用いて、制御信号等の高い信頼性が要求されるデータの通信を実現することができる。
【００５６】
続いて、本発明の第２の実施形態について説明する。図７は、本発明の第２実施形態が適用された電力線通信式装置を用いた制御システムの概略構成図である。なお、本第２の実施形態の説明において、第１の実施形態と同じ構成については同一の符号を用いることとする。
【００５７】
図示するように、本発明の第２の実施形態の概略構成は、３相２００Ｖ配線と単相２００Ｖ配線との間で高周波の伝送信号を通すための手段として、図１で示した第１の実施形態のコンデンサ３０、３１に代えて電力線・無線変換ブリッジ回路（以下において「ブリッジ回路」という）５０、５１を設けている点において相違している。そして、本第２の実施形態は、上記第１の実施形態のように電力線通信装置１１００がテスト信号を送信し、そのテスト信号に対するＡＣＫ信号を受信するのではなく、ブリッジ回路５０にテスト信号を送信する手段を設けている。そして、電力線装置１１００は、ブリッジ回路５０が送信したテスト信号の受信回数を計測し、その受信回数を用いて最適な接続条件を特定するように構成されている。なお、本第２の実施形態は、上記３相２００Ｖ配線と単相２００Ｖ配線との間で高周波の伝送信号を通すための手段が異なる点と、最適な接続条件を特定する手順が異なる以外の構成については、第１の実施形態のものと同じである。また、以下では、第１の実施形態の相違点を中心に説明することとする。
【００５８】
最初に、ブリッジ回路５０の構成について説明する。図８は、本第２の実施形態が適用された電力線通信式装置１１００を用いた制御システムが有するブリッジ回路５０の構成を説明するための図である。
【００５９】
図示するように、ブリッジ回路５０は、電力線通信モデム５００、マイコン５１０、無線回路５１５、無線回路アンテナ５１６、および電源端子５１７を有している。マイコン５１０は、電力線通信プロトコルを無線通信プロトコルに変換する。また、マイコン５１０は、ブリッジ機能を実現するためのワークエリアとしてのＲＡＭ５１１を有している。
【００６０】
また、図示する電力線通信モデム５００は、第１の実施形態の電力線通信式装置（室内機）２１００が有するモデム２００に、ブリッジ回路５０が通常起動モードおよび配線選択モードのいずれか一方の状態にあることを示すモード切替えスイッチ５２０を付加したものである。そして、ブリッジ回路５０は、電源が投入されるとモード切替えスイッチ５２０の設定されている状態に従って動作する。例えば、モード切替えスイッチ５２０が、配線選択モードの状態にあると、ブリッジ回路５０内の電力線通信モデム５００は、電源がオフされるまで配線選択のためのテスト信号を送信し続ける（所定時間を経過するまでテスト信号を送信するように構成してもよい）。
【００６１】
また、本第２の実施形態では、ブリッジ回路５０の電源端子５１７は３相電力配線１０と３相電力配線１１とに接続されている場合を例にして説明するが特にこれに限定するものではない。例えば、ブリッジ回路５０の電源端子５１７は、３相電力配線１０および１２に接続されていてもよい（また、例えば、３相電力配線１１および１２に接続されていてもよい）。なお、ブリッジ回路５１は、ブリッジ回路５０と同様の構成を有するものとする（本第２の実施形態では、ブリッジ回路５１は、ブリッジ回路５０が有する機能から、テスト信号の送信を行なう配線選択モードの機能を除いたものとしてもよい）。
【００６２】
続いて、本発明の第２実施形態の電力線通信式装置１１００の３相電力配線への接続配線を特定するための処理のフローについて説明する。
【００６３】
図９は、本実施形態の電力線通信式装置１１００が行う３相電力配線への接続配線を特定する処理のフローを説明するための図である。
【００６４】
最初に、図６で説明した第１の実施形態のＳ１〜Ｓ４と同じ処理を行う（Ｓ１００〜Ｓ１０３）。また、図７、８で示すブリッジ回路５０は、空調システムの電源の投入後、電力線通信式装置（室外機）１１００の制御回路１１１０の電源が投入される前に電源が投入されているものとする。そして、ブリッジ回路５０は、電源が切断されるまでは、所定の間隔でテスト信号を連続して送信するものとする。なお、ブリッジ回路５０のテスト信号を送信する処理のフローは後述する。
【００６５】
その後、電力線通信式装置１１００は、ブリッジ回路５０が送信するテスト信号の検出を行なう（Ｓ１０４）。具体的には、電力線通信式装置（室外機）１１００の電力線通信モデム１００は、ブリッジ回路４０が送信するテスト信号を結合回路１２０、フィルタ１３５、復調回路１３６を介してＤＳＰ１３０に入力する。そして、ＤＳＰ１３０は、自身に送られたテスト信号であるか否かの判断を所定時間が経過するまで行なう。
【００６６】
次に、電力線通信式装置１１００は、図６で説明したＳ７〜Ｓ８と同じ処理を行い（Ｓ１０５〜Ｓ１０６）、上記Ｓ１０４と同様のブリッジ回路５０が送信するテスト信号の検出を行なう（Ｓ１０７）。続いて、電力線通信式装置１１００は、図６のＳ１１〜Ｓ１２と同じ処理を行なう（Ｓ１０８〜Ｓ１０９）。また、電力線通信式装置１１００は、上記Ｓ１０４と同様のブリッジ回路５０が送信するテスト信号の検出し（Ｓ１１０）、その後、図６のＳ１５〜Ｓ１８と同様に処理を行なう（Ｓ１１１〜Ｓ１１４）。その後、電力線通信式装置１１００は、制御回路１１１０の電源を切断し（Ｓ１１５）、処理を終了する。
【００６７】
続いて、ブリッジ回路５０の行う動作を説明する。図１０は、ブリッジ回路５０の動作を説明するための図である。なお、本第２の実施形態のブリッジ回路５０は、３相電力配線１０、１１に接続された後、オペレータにより初期設定が行われているものとする（ブリッジ回路５０のモード切替えスイッチ５２０は、配線選択モードに設定されていることとする）。
【００６８】
さて、空調システムの電源が投入されると、ブリッジ回路５０は、自身の電源が投入されるまで待機する（Ｓ１２０）。そしてブリッジ回路５０は、電源が投入された後（Ｓ１２１）、モデム５００のＤＳＰ１３０は、モード切替えスイッチ５２０に設定されているモードを検知する。そして、ＤＳＰ１３０は、モード切替えスイッチ５２０のモードが配線選択モードであることを検知した場合、Ｓ１２３の処理に進む。一方、ＤＳＰ１３０は、モード切替えスイッチ５２０のモードが配線選択モードではないことを検知した場合（通常起動モードの場合）、通常動作モードを起動させる（Ｓ１２２）。なお、ブリッジ回路５０は、通常起動した場合、電力線通信式装置１１１０が送信した制御信号を受信し、該制御信号をブリッジ回路５１経由で電力線通信式装置２１００に送信する。また、ブリッジ回路５０は、電力線通信式装置２１００が送信した制御信号を、ブリッジ回路５１経由で受信し、該制御信号を電力線通信式装置１１００に送信する。
【００６９】
Ｓ１２３では、ブリッジ回路５０が有する電力線通信モデム５００のＤＳＰ１３０は、変調回路１３１、送信アンプ１３２、結合回路１２０を介して接続テスト信号を所定の間隔で連続送信する（Ｓ１２３）。
【００７０】
その後、ブリッジ回路５０は、電源が切断されるまで所定の間隔でテスト信号の送信を続けて、手動または自動的（例えば、テスト信号の送信開始からの所定時間を計測しておいて、所定時間経過後に電源を自動的に切断するようにしておいてもよい）に電源が切断された場合に処理を終了する（Ｓ１２４）。その後、オペレータがブリッジ回路５０のモード切替えスイッチ５２０を通常起動モードに切替えておけば、空調システムの通常運転時には、電力線通信式装置（室外機）１１００と電力線通信式装置（室内機）２１００との間で制御信号を中継するように動作する。
【００７１】
このように本第２の実施形態によれば、３相２００Ｖ配線と単相２００Ｖ配線との間で高周波の伝送信号を通すためのブリッジ回路５０、５１を用いるようにして、そのブリッジ回路５０に所定間隔でテスト信号を連続して送信する手段を設けている。また、ブリッジ回路５０は、３相電力配線１０、１１、１２のうちから任意の２つの電力配線（本第２の実施例では電力配線１０および１１）を選択して接続されている。そして、電力線通信式装置１１００は、ブリッジ回路５０が送信するテスト信号を接続の条件を変えて受信し、最多回数で信号を検出できた接続条件を特定している。
【００７２】
そのため、本第２の実施形態では、電力線通信式装置１１００のモデム１００は、ブリッジ回路５０が接続されている電力配線と同じ配線に接続している場合（図７で示す例では、３相電力配線１０、１１）に、接続テスト信号を最多回数検出することとなり、最適な接続条件を特定することができる（電力線通信式装置１１００は、ブリッジ回路５０を介して電力線通信を行うようにしているため、ブリッジ回路５０が接続されている電力配線と同じ配線相に接続する必要が有る）。そして、電力線通信式装置１１００のモデム１００は、電力配線１０、１１を接続相として特定して接続することで、信頼性の高い通信を実現することができる。また、本第２の実施形態では、上記第１の実施形態と比較して簡易な方法（上記第１の実施形態ではテスト信号を送信し、そのテスト信号に対するＡＣＫ信号を検出している）で通信相手の接続相を特定することができる。
【００７３】
続いて、本発明の第３の実施形態について説明する。図１１は、本発明の第３実施形態が適用された電力線通信式装置を用いた制御システムの概略構成図である。なお、本第３の実施形態の説明において、第２の実施形態と同じ構成については同一の符号を用いることとする。
【００７４】
図示するように、本発明の第３の実施形態は、室内機として機能する電力線通信式装置２１１０（ａ、ｂ、ｃ、…、ｎ）が単相２００Ｖではなく３相２００Ｖ配線に接続されている。また、電力線通信式装置２１１０が接続されている３相２００Ｖ配線は、電力線通信式装置（室外機）１１００が接続されている３相２００Ｖ配線と異なる配電トランス系に接続されている。また、電力線通信式装置（室内機）２１１０の内部には、電力線通信式装置（室外機）１１００と同じ電力線通信モデム１００が設けられている。
【００７５】
そして、本第３の実施形態の電力線通信式装置（室外機）１１００は、図９で示す上記第２の実施形態と同じ処理を行う。また、本第３の実施形態では、電力線通信式装置（室内機）２１１０についても、図９で説明した上記第２の実施形態の電力線モデム１００と同じ処理を行い、最適な接続条件の接続配線を特定するように構成されている。
【００７６】
このように、本第３の実施形態によれば、異なる配電トランス系の３相電力配線に接続されている電力線通信式装置間においても、最適な接続条件を特定できるため、信頼性の高い通信を行うことができる。
【００７７】
続いて、本発明の第４の実施形態について説明する。図１２は、本発明の第４の実施形態が適用された電力線通信式装置を用いた制御システムの概略構成図である。図示するように、本第４の実施形態は、異なる配電トランス系の３相電力配線間で高周波信号の通信を行うために、ブリッジ回路５０、５１の代わりに容量結合手段であるコンデンサ３０、３１を用いる点において、上記第３の実施形態と相違している。また、本第４の実施形態では、電力線通信式装置１１００および電力線通信式装置２１１０と３相電力配線の接続を特定するためのテスト信号を送信する接続テスト信号発生回路（以下、において「信号発生回路」という）６００を設ける構成としている点において上記第３の実施形態と相違している。そして、上記した相違点以外の構成については、本発明の第４の実施形態は、上記第３の実施形態のものと同じである。
【００７８】
さて、第３の実施形態と相違するコンデンサ３０、３１および信号発生回路６００の構成について説明する。図１２に示す第４の実施形態のコンデンサ３０、３１は、図１の第１の実施形態のものと同じである。また、信号発生回路６００の構成は、図８の第２の実施形態で説明した電力線通信モデム５００と基本的に同じである（電力線通信モデム５００は、接続テスト信号の送信の他に、通常起動モードに切替えて通常の電力線通信に使われるのに対して、信号発生回路６００は接続テスト信号の送信のみに使われる点で相違している）。
【００７９】
続いて、本発明の第４実施形態の電力線通信式装置１１００の３相電力配線への接続配線を特定するための処理のフローについて説明する。
【００８０】
本第４の実施形態の電力線通信式装置１１００の３相電力配線への接続配線を特定する処理のフローは、電力線通信式装置１１００に対するテスト信号の送信元が上記第３の実施形態と異なる以外は、図９で示すフローと同じである（第３の実施形態ではブリッジ回路５０がテスト信号を連続して送信しているが、本第４の実施形態では信号発生回路６００がテスト信号を送信している）。
【００８１】
具体的には、空調システムの電源が投入されて信号発生回路６００は、自身の電源が投入された後、電源が切断されるまで電力線通信式装置１１００及び電力線通信式装置２１１０に対してテスト信号を送信する。その後、電力線通信式装置１１００及び電力線通信式装置２１１０は、図９と同様のフローを行なう（Ｓ１０４、Ｓ１０７、Ｓ１１０では、ブリッジ回路５０からのテスト信号ではなく信号発生回路６００が送信したテスト信号を検出する）。なお、信号発生回路６００は、電力線通信式装置１１００及び電力線通信式装置２１１０の接続条件が固定された後は電源が切断され、通常起動での空調システムの制御信号の通信時には用いられない。
【００８２】
このように、本第４の実施形態では、電力線通信式装置１１００及び電力線通信式装置２１１０は、信号発生回路６００が発信するテスト信号の受信検知回数が最大となる場合の接続条件に接続を設定するように構成されている。そのため、図１２で示す例では、電力線通信式装置２１１０は、信号発生回路６００が接続されている電力配線と同じ配線相に接続されている場合に、接続テスト信号を最多回数検出し、その最多検出回数を与える３相電力配線（図１２の例では、１０、１２）に接続が設定される。なお、電力線通信式装置２１１０が接続されている３相電力配線とコンデンサ３０、３１との接続は、信号発生回路６００が接続されている電力配線と同じ配線相に接続されているものとする（図１２の例では、１０、１２）。
【００８３】
また、電力線通信式装置１１００は、コンデンサ３０および３１を介してテスト信号を受信するため、コンデンサ３０および３１が接続されている電力配線と同じ配線に接続されている場合に、接続テスト信号を最多回数検出し、その最多検出回数を与える３相電力配線（図１２の例では１０、１１）に接続される。そのため、電力線通信式装置１１００と電力線通信式装置２１１０とは、コンデンサ３０および３１を介してそれぞれ相手先の接続相に電力配線を介して通信をすることができる。
【００８４】
以上説明したように、本発明では、３相電力配線に接続されている電力線通信式装置に、３相電力配線への接続条件を選択して接続する手段と、選択した接続条件毎に所定時間に送信される所定の接続確認信号（テスト信号またはＡＣＫ信号）を検知して検知した受信回数を計測する手段と、該計測した受信回数に基づいて最適な接続条件を特定する手段と、該特定した接続条件に接続を固定すると共に、該接続条件を表示する手段とを設けることとしている。そのため、ノイズが大きい電力配線による通信においても、通信相手と通信を行う接続相を特定することができるため（例えば、不規則にノイズが発生する場合であっても、複数回テスト信号（ＡＣＫ信号）を計測することで検出精度は向上する）、通信相手の接続相を高精度に特定することができる。
【００８５】
また、本発明では、電力配線を介して受信したデータを電力線モデムの復調回路で復調させ、復調したデータを用いてテスト信号（またはＡＣＫ信号）であるか否かを検知している。そのため、ノイズの多い環境下であっても、テスト信号（またはＡＣＫ信号）の誤検知を防ぐことができ、高精度に通信相手が接続されている相を特定することができる。
【００８６】
また、本発明では、計測したＡＣＫ信号の受信回数の最大値とその他受信回数（最大値以外の受信回数）との差分値が所定のしきい値より小さい場合には、最適接続条件の特定をすることなく、再度接続確認のための処理を行うようにしている。このため、不規則にノイズが発生するような場合でも、誤って接続条件が特定されてしまうことを防ぐことができる。
【００８７】
このように、本発明によれば、電力配線のようなノイズが多い環境でも通信相手が接続されている電力配線相を特定することができる。そして、特定した電力配線相で電力線通信を行うことができる。そのため、通信信号を送信する前に行うキャリアセンス（搬送波感知）での誤検知の発生を軽減できるため通信の信頼性を向上させることができる（通信相手が接続している相が特定できない場合、または、誤検知した相で通信を行う場合には、キャリアセンスの誤検知により通信エラーが発生する場合が多い）。
【００８８】
このように、本発明によれば、電力配線のようにノイズの多い環境でも確実に３相電力配線における通信ができる。そのため、例えば本実施形態（１〜４）で説明したように高い信頼性が必要な各種システム（例えば空調システム）の制御信号の通信においても本発明を適用することができる。そして、例えば、本発明を、本実施形態（１〜４）のような空調システムに適用した場合、室内機と室外機との間で行なう制御信号を通信するための接続線の配線工事を行う必要がなくなる。
【００８９】
したがって、各種システム（例えば空調システム）を設置するための施工時間および施工費用を大幅に短縮することができる（例えばオフィスや店舗に設置されている空調システムは、１台の室外機に複数台の室内機が接続されている場合が多い。そして、接続線を長距離に配線する必要が多いため施工に長時間費やされることが多い）。特に、各種システム（例えば空調システム）のリニューアル（入れ替え）工事においては、施工時間を大幅に短縮することができる（空調システムに限らず、各種システムをリニューアル設置する場合には、施工スペースが十分に取れないことが多い。また、既に建物が完成している入れ替え工事の場合には、天井裏等の非常に狭いスペースで接続線を配線する等の作業が必要なこともあり、施工の手間は多大なものとなる）。
【００９０】
さらに、本発明が適用された上記実施形態によれば、制御信号を通信する装置間（例えば、空調システムの室外機と室内機との間）における接続線の配線工事を行なう必要がないため、接続線の誤配線によるシステムの施工不良や故障の発生を完全に防止することができる。
【００９１】
なお、本発明は以上で説明した実施形態に限定されるものではなく、本発明の要旨の範囲内において種々の変形が可能である。例えば、本発明の第１の実施形態において、３相電力配線１０、１１、１２と単相電力配線２０、２１、２２との間で高周波の伝送信号を通すためにコンデンサ３０および３１を用いる例を説明したが、例えば、本第２の実施形態のように、高周波の伝送信号を通信する手段にブリッジ回路を用いるようにしてもよい。
【００９２】
また、本実施形態では、異なるトランスを持つ電力配線に接続されている電力線通信式装置間での通信を行う場合を例に説明したが、特にこれに限定するものでない。例えば、本発明は、同一のトランスを持つ３相電力配線に接続されている複数の電力線通信式装置間において通信を行う場合にも適用できる（例えば、図１で示す電力線通信モデム１００を有する装置と電力線通信モデム２００を有する装置とを同一の３相電力配線に接続しておけば、テスト信号の送信とＡＣＫ信号の受信により通信相手の接続相を特定することができる）。
【００９３】
また、本実施形態では、３相電力配線のうちの２つの電力配線を利用して通信を行う場合を例に説明したが、電力配線は３相以上の多相で構成されている電力配線でもよい。
【００９４】
また、本実施形態では、１台の電力線通信式装置１１００と複数台の電力線通信式装置２１００（または２１１０）との間において電力線通信を行う場合を例として説明したが特にこれに限定しない。例えば、電力線通信式装置１１００と電力線通信式装置２１００（または２１１０）とが、１対１で通信するものであってもよく、また、複数対複数で通信するものであってもよい。
【００９５】
また、本実施形態では、電力線通信式装置（室外機）１１００および電力線通信式装置（室内機）２１００に電力線通信を行う電力線通信モデム１００および２００が内蔵されている場合を例に説明したが、電力線通信モデム１００および２００は、外付けのユニットとして構成されていてもよい。
【００９６】
また、本発明の実施形態の説明では、電力線通信式装置が冷媒方式の空調システムに適用されている場合を例に説明したが、特にこれに限定されるものではない。多相電力配線を用いてデータ通信を行う装置であればよい。例えば、ホテルや飲食店で利用されているプレハブ冷蔵庫等の大型の冷凍・冷蔵設備、工場やビルで用いられている大規模空調設備（例えばエアハン等）にも適用することができる。
【００９７】
【発明の効果】
以上説明したように、本発明によれば、多相電力配線の２つの電力配線に高周波信号を重畳して行う電力線通信式装置が、多相電力配線上に接続されて各装置間で通信を行う場合、あるいは、多相電力配線上に接続された電力線通信式装置と、単相配線に接続された電力線通信式装置との間で通信を行う場合に、通信の信頼性を向上させることができる。
【図面の簡単な説明】
【図１】本発明の第１実施形態が適用された電力線通信式装置を用いた制御システムの概略構成図である。
【図２】本実施形態の電力線通信式装置１１００の具体的な構成を説明するための図である。
【図３】電力線通信式装置１１００の電力線通信モデム１００の具体的な構成を説明するための図である。
【図４】本実施形態の電力線通信式装置２１００の具体的な構成を説明するための図である。
【図５】電力線通信モデム２００の具体的な構成を説明するための図である。
【図６】本実施形態が適用された電力線通信式装置１１００の電力配線の選択処理のフローを説明するための図である。
【図７】本発明の第２実施形態が適用された電力線通信式装置を用いた制御システムの概略構成図である。
【図８】本発明の第２実施形態が適用された電力線通信式装置１１００を用いた制御システムが有するブリッジ回路５０の構成を説明するための図である。
【図９】本発明の第２実施形態の電力線通信式装置１１００が行う３相電力配線への接続配線を特定する処理のフローを説明するための図である。
【図１０】ブリッジ回路５０の処理のフローを説明するための図である。
【図１１】本発明の第３実施形態が適用された電力線通信式装置を用いた制御システムの概略構成図である。
【図１２】本発明の第４実施形態が適用された電力線通信式装置を用いた制御システムの概略構成図である。
【符号の説明】
１０…３相電力配線Ｒ相、１１…３相電力配線Ｓ相、１２…３相電力配線Ｔ相、２０…単相電力配線Ｌ１相、２１…単相電力配線Ｎ相、２２…単相電力配線Ｌ２相、３０…コンデンサ、３１…コンデンサ、４０…分電盤、４１…分電盤、４２…電源端子、４３…電源端子、４４…単相２００Ｖ系の電力配線、４５…単相１００Ｖ系の電力配線、５０…ブリッジ回路、５１…ブリッジ回路、１００…電力線通信モデム、１１０…リレーａ、１１１…リレーｂ、１２０…結合回路、１３０…ＤＳＰ、１３１…変調回路、１３２…アンプ、１３５…フィルタ、１３６…変調回路、１４０…ＥＥＰＲＯＭ、１４１…ＲＡＭ、１５０…モード切替えスイッチ、１６０…カウンタ、１７０…判定回路、２００…電力線通信モデム、５００…電力線通信モデム、５１０…マイコン、５１１…ＲＡＭ、５１５…無線回路、５１６…無線回路アンテナ、５１７…電源端子、５２０…モード切替えスイッチ、６００…信号発生回路、１１００…電力線通信式装置、１１１０…制御回路、１１２０…インバータ、１１３０…モータ、１１４０…圧縮機、１１５０…ノイズフィルタ、１１６０…入出力インタフェース（Ｉ／Ｏ）、１１６１…ディップスイッチ、１１１１…制御回路、１１６２…入出力インタフェース（Ｉ／Ｏ）、１１６３…冷媒系統切替えスイッチ、１１５１…ノイズフィルタ、１１７０…ファン
【図１】
2005020197.tif 000003
【図２】
2005020197.tif 000004
【図３】
2005020197.tif 000005
【図４】
2005020197.tif 000006
【図５】
2005020197.tif 000007
【図６】
2005020197.tif 000008
【図７】
2005020197.tif 000009
【図８】
2005020197.tif 000010
【図９】
2005020197.tif 000011
【図１０】
2005020197.tif 000012
【図１１】
2005020197.tif 000013
【図１２】
2005020197.tif 000014